(57)【要約】【課題】  コンパクトに折畳み、ないし、スタッキング可能であるため、嵩張らずに携帯に便利で、後始末が容易で、使用後尿の漏れや臭いの発散を完全に防止でき、しかも低コストにて量産供給できる携帯用トイレを提供することを課題とする。【解決手段】  底面に排尿口３を形成した紙コップ状のカップ２を設け、前記排尿口３からホース４を延ばし、貯尿用容器７の口部にネジ付け可能なキャップ５を前記ホース４と連通状態にして前記ホース４の端部に取りつけて成る。【選択図】  図１
2005176998.tif 000002
【特許請求の範囲】
【請求項１】
底面に排尿口を形成した紙コップ状のカップを設け、前記排尿口からホースを延ばし、貯尿用容器の口部にネジ付け可能なキャップを前記ホースと連通状態にして前記ホースの端部に取りつけて成る携帯用トイレ。
【請求項２】
前記ホースは蛇腹構造である請求項１に記載の携帯用トイレ。
【請求項３】
底面に排尿口を形成した紙コップ状のカップを設け、貯尿用容器の口部にネジ付け可能なキャップを前記排尿口と連通状態にして前記カップの外底面に固定して成る携帯用トイレ。
【請求項４】
前記カップは折畳み可能である請求項１又は３に記載の携帯用トイレ。
【請求項５】
前記カップは伸縮可能である請求項１又は３に記載の携帯用トイレ。
【請求項６】
個別に袋詰めされた請求項１乃至５のいずれかに記載の携帯用トイレ。
【請求項７】
前記袋詰めする袋は、使用済み使い捨てトイレを封入可能である請求項６に記載の携帯用トイレ。
【発明の詳細な説明】
【技術分野】
【０００１】
本発明は、携帯用トイレ、より詳細には、主に一般自動車等のトイレ設備のない乗物に乗車する際に携帯し、緊急時に当該車内において用いる携帯用トイレに関する。
【背景技術】
【０００２】
交通渋滞中の道路においては、自動車がトイレのあるドライブイン等の休憩所へ着くのに長い時間を要することが多く、その間尿意をもよおしても我慢を強いられる。しかし、特に子供等の場合には、長時間辛抱し続けることが困難なため、道路わきに自動車を止めて、用を足す等の光景がまま見受けられるが、このような行為は、それ自体見苦しく、また、夜間の場合には、交通事故等にあう危険性も大きい。
【０００３】
このような問題の対策としては、尿瓶等の容器を車内に用意しておき、車内で用を足すことが考えられる。また、最近では、貯尿用の容器として空になった飲料用のペットボトルを使用する、ペットボトル対応の携帯用トイレが提唱され（特許文献１参照）、商品化されているものもある。
【０００４】
【特許文献１】特開２００３−３２５３８０号公報
【０００５】
しかし、上記従来のペットボトル対応携帯用使い捨てトイレは、貯尿用の容器として使用したペットボトルを廃棄できるので尿瓶等を何度も使用するよりは衛生的であるが、ペットボトルに装着する採尿器（タンク）は金属製又はプラスチック製で洗浄して再利用するものであり、折角ペットボトルを使い捨てにしても、採尿器全部が使い捨てではないため衛生的でなく、連続して使用できず、また、嵩張って携帯に不便なだけでなくコスト的にも高くつくといったように、種々難点がある。
【発明の開示】
【発明が解決しようとする課題】
【０００６】
本発明は、上述した問題に鑑みてなされたもので、コンパクトに折畳み、ないし、スタッキング可能であるため、嵩張らずに携帯に便利で、後始末が容易で、使用後尿の漏れや臭いの発散を完全に防止でき、しかも低コストにて量産供給できる携帯用トイレを提供することを課題とする。
【課題を解決するための手段】
【０００７】
本発明は、底面に排尿口を形成した紙コップ状のカップを設け、前記排尿口からホースを延ばし、貯尿用容器の口部にネジ付け可能なキャップを前記ホースと連通状態にして前記ホースの端部に取りつけて成る携帯用トイレ、を以て上記課題を解決した。好ましくは前記ホースは蛇腹構造とされ、また、前記カップは、折畳み、伸縮又はスタッキング可能にされる。
【０００８】
本発明はまた、底面に排尿口を形成した紙コップ状のカップを設け、貯尿用容器の口部にネジ付け可能なキャップを前記排尿口と連通状態にして前記カップの外底面に固定して成る携帯用使い捨てトイレ、を以て上記課題を解決した。好ましくは、前記カップは、折畳み、伸縮又はスタッキング可能である。
【発明の効果】
【０００９】
本発明によれば、コンパクトに折畳み、押し縮め、ないし、スタッキング可能であるため、嵩張らずに携帯に便利で、使い捨て適性もあり、後始末が容易で、使用後直ちに袋詰めすることもでき、尿の漏れや臭いの発散を完全に防止でき、しかも低コストにて量産供給し得る効果がある。
【発明を実施するための最良の形態】
【００１０】
以下、本発明を実施するための最良の形態を、添付図面に依拠して説明する。先ず図１乃至図４に示される本発明に係る携帯用トイレ１の第１の実施形態について説明する。
【００１１】
この第１の実施形態の携帯用トイレ１は、底面の適宜位置に排尿口３を設けた紙コップ状のカップ２と、排尿口３に水密状態に取り付けられるホース４と、上面開口部にホース４の先端が水密状態に固定されるキャップ５とから成る。
【００１２】
カップ２は、主として使い捨て適性を有する紙製又は薄手のプラスチック製で、好ましくは、折畳み可能又は上下方向に伸縮可能にする。折畳み方は任意で、例えば、図２に示すように、底部の対向面を内方に折込むことによって畳む方法が考えられる。この場合の排尿口３は、底面の一半部に形成されることになる。また、図３に示すように、底面を側面上に折畳む方法や、図４に示すように、カップ２の中間部を捻ることによって潰す方法も考えられる。なお、図２及び図３においては、ホース４及びキャップ５の図示を省略してある。
【００１３】
カップ２を上下方向に伸縮可能にするには、カップ２の全体（後述する図５参照）又は一部を蛇腹構造とすればよい。また、カップ２を折畳み又は伸縮可能にしない場合には、テーパ形状にすることにより、スタッキング可能とすることができる（後述する図６参照）。
【００１４】
ホース４は紙製又はプラスチック製で、好ましくは、蛇腹構造にして伸縮可能にする。キャップ５は、一般のペットボトル７のキャップと互換性を持つものとし、その上面開口部にホース４の下端を固定する。
【００１５】
携帯用トイレ１を使い捨てにする場合は、カップ２を折畳み又は押し縮めた状態で個別に袋詰めし、その袋６を利用し、あるいは、別の袋を同封しておき、使用後携帯用トイレ１を当該袋に封入して廃棄できるようにすることが好ましい。
【００１６】
この第１の実施形態の場合は、使用に際し、例えば空のペットボトル７のキャップを外し、携帯用トイレ１のキャップ５をネジ付ける。そして、カップ２を拡げてカップ２内に放尿する。ホース４が蛇腹構造の場合は、カップ２がペットボトル７に対してある程度自由に位置決めできるため、使用勝手が向上する。
【００１７】
使用後携帯用使い捨てトイレ１は、上記の如く袋詰めし、ペットボトル７には元のキャップをし、後に適宜廃棄処理する。なお、ペットボトル７は、車内で飲用済みのものをそのまま車内に残しておいて利用すればよい。
【００１８】
図５及び図６に示す第２の実施形態は、第１の実施形態におけるホース４を省略し、キャップ５をカップ２の外底面に直接、排尿口３を覆うようにして固定したものである。
【００１９】
カップ２は、第１の実施形態と同様にして折畳み、伸縮又はスタッキング可能とする。図５は、カップ２の全体を蛇腹構造として伸縮可能にした例を示し、図６はカップ２をテーパ形状にしてスタッキング可能にした例を示す。なお、図５に示す例において、カップ２をキャップ５の高さ分上げ底にすれば、袋６にパッキングする際にキャップ５がそこに収まって突出しない状態にすることができる。
【００２０】
この第２の実施形態の使用方法は、基本的に上記第１の実施形態の使用方法と同じである。
【図面の簡単な説明】
【００２１】
【図１】本発明に係る携帯用トイレの第１の実施形態の使用状態を示す斜視図である。
【図２】本発明に係る携帯用トイレの第１の実施形態の他の構成例を示す図である。
【図３】本発明に係る携帯用トイレの第１の実施形態の更に他の構成例を示す図である。
【図４】本発明に係る携帯用トイレのパック状態を示す図である。
【図５】本発明に係る携帯用トイレの第２の実施形態の構成例を示す図である。
【図６】本発明に係る携帯用トイレの第２の実施形態の他の構成例を示す図である。
【符号の説明】
【００２２】
１    携帯用トイレ
２    カップ
３    排尿口
４    ホース
５    キャップ
６    袋
７    ペットボトル
【図１】
2005176998.tif 000003
【図２】
2005176998.tif 000004
【図３】
2005176998.tif 000005
【図４】
2005176998.tif 000006
【図５】
2005176998.tif 000007
【図６】
2005176998.tif 000008